(57)【要約】【課題】乾燥工程毎に屈曲角度の異なる隅瓦を大量に入れ替える際にも、大変な手間が発生することなく、簡単に入れ替え作業を行うことができる隅瓦の乾燥用パレットを提供すること。【解決手段】角パイプを枠組みして設けられた台１２と、台１２上に対向して間隔を開けて設けられた一対の側壁１４と、一対の側壁１４のそれぞれの上部との間に水平に対向して設けられた回転自在の一対の軸１６と、一対の軸１６を介して一対の側壁１４上に対向して設けられた一対の対称的な形状である支持板１８とを有する隅瓦の乾燥用パレット１０。【選択図】  図２
0003183012.tif 000002
【実用新案登録請求の範囲】
【請求項１】
隅瓦の裏面を支えるために対向して設けられた一対の支持板と、
水平に対向して設けられた回転自在の一対の軸とを有し、
前記一対の支持板のそれぞれが前記一対の軸のそれぞれを支点としてシーソー状に設けられたことを特徴とする隅瓦の乾燥用パレット。
【請求項２】
隅瓦の裏面を支えるために対向して設けられた一対の支持板と、
水平に対向して設けられた回転自在の一対の軸とを有し、
前記一対の支持板のそれぞれが前記一対の軸のそれぞれを支点として揺動自在に設けられたことを特徴とする隅瓦の乾燥用パレット。
【請求項３】
前記一対の支持板のそれぞれに孔が設けられたことを特徴とする請求項１又は２記載の隅瓦の乾燥用パレット。
【考案の詳細な説明】
【技術分野】
【０００１】
本考案は、裏面が所定の屈曲角度に折れ曲がった隅瓦（廻隅「まわりすみ」とも呼ばれる）の乾燥用パレットに関するものである。
【背景技術】
【０００２】
従来の隅瓦の乾燥用パレットとしては、主に焼成用のものであるが、乾燥用にも使われるものであって、略四角形の板材を山形に開閉自在とし、隅瓦を上から載せて面接触で支持するようにした支承板と、その支承板の脚部の先端を載せるための多数の凹凸面を備えた基板とを有するものが知られている（例えば、特許文献１参照）。
【０００３】
従来の隅瓦の乾燥用パレットは、支持する隅瓦の屈曲角度に対応できる角度に支承板を山形に開き、そのまま支承板の脚部の先端を基板の凹凸面に載せることによって、支承板の上に隅瓦を載せて支持することができた。
【０００４】
このため、様々な屈曲角度に設けられた隅瓦に対しても、それぞれの屈曲角度に対応したパレットを個別に用意することなく、従来の隅瓦の乾燥用パレット一種で対応することができた。
【先行技術文献】
【特許文献】
【０００５】
【特許文献１】特開２００８−２９８３３６号公報
【考案の概要】
【考案が解決しようとする課題】
【０００６】
しかし、従来の隅瓦の乾燥用パレットでは、乾燥工程毎に屈曲角度の異なる隅瓦を大量に入れ替える際には、パレットの支承板の開く角度を、新たに支持する隅瓦の屈曲角度に対応できるようにわざわざ変えなければならないため、一つ一つのパレットの支承板を開いて脚部の先端を基板の凹凸面に載せる、という作業が一度に大量に発生してしまい、大変な手間が生じてしまうという問題があった。
【０００７】
本考案は、乾燥工程毎に屈曲角度の異なる隅瓦を大量に入れ替える際にも、大変な手間が生じることなく、簡単に入れ替え作業を行うことができる隅瓦の乾燥用パレットを提供することを目的とする。
【課題を解決するための手段】
【０００８】
本考案の第１の課題解決手段は、隅瓦の裏面を支えるために対向して設けられた一対の支持板と、水平に対向して設けられた回転自在の一対の軸とを有し、前記一対の支持板のそれぞれが前記一対の軸のそれぞれを支点としてシーソー状に設けられたことを特徴とする隅瓦の乾燥用パレットである。
【０００９】
本考案の第２の課題解決手段は、隅瓦の裏面を支えるために対向して設けられた一対の支持板と、水平に対向して設けられた回転自在の一対の軸とを有し、前記一対の支持板のそれぞれが前記一対の軸のそれぞれを支点として揺動自在に設けられたことを特徴とする隅瓦の乾燥用パレットである。
【００１０】
本考案の第３の課題解決手段は、第１又は第２の課題解決手段の隅瓦の乾燥用パレットにおいて、前記一対の支持板のそれぞれに孔が設けられたことを特徴とするものである。
【考案の効果】
【００１１】
本考案の第１の課題解決手段は、一対の支持板のそれぞれが一対の軸のそれぞれを支点としてシーソー状に設けられているため、隅瓦を一対の支持板の上に載せるだけで、一対の支持板が、隅瓦の裏面に接触し、隅瓦自体の重みによって自動的に隅瓦の屈曲角度に対応して動くことから、隅瓦の裏面を面接触で支えることができ、その結果、隅瓦をしっかりと支持することができる。
【００１２】
このため、乾燥工程毎に屈曲角度の異なる隅瓦を大量に入れ替える際にも、単に隅瓦を載せ替えるだけで作業が済むため、大変な手間を生じることがない。
【００１３】
本考案の第２の課題解決手段は、一対の支持板のそれぞれが一対の軸のそれぞれを支点として揺動自在に設けられているため、隅瓦を一対の支持板の上に載せるだけで、一対の支持板が、隅瓦の裏面に接触し、隅瓦自体の重みによって自動的に隅瓦の屈曲角度に対応して動くことから、隅瓦の裏面を面接触で支えることができ、その結果、隅瓦をしっかりと支持することができる。
【００１４】
このため、乾燥工程毎に屈曲角度の異なる隅瓦を大量に入れ替える際にも、単に隅瓦を載せ替えるだけで作業が済むため、大変な手間を生じることがない。
【００１５】
本考案の第３の課題解決手段は、第１又は第２の課題解決手段が奏する効果に加え、一対の支持板に孔を設けることにより、乾燥工程時に、隅瓦の裏面に対して孔を通じて風をあてることができるため、乾燥効率を高めることができる。
【図面の簡単な説明】
【００１６】
【図１】本考案の隅瓦の乾燥用パレットの平面図である。
【図２】本考案の隅瓦の乾燥用パレットの側面図である。
【図３】隅瓦を載せた状態の本考案の隅瓦の乾燥用パレットの平面図である。
【図４】隅瓦を載せた状態の本考案の隅瓦の乾燥用パレットの側面図である。
【図５】本考案の別の隅瓦の乾燥用パレットの平面図である。
【図６】本考案の隅瓦の乾燥用パレットの動きを示す側面図である。
【考案を実施するための形態】
【００１７】
本考案の隅瓦の乾燥用パレット１０を図面に基づいて説明する。
【００１８】
図１、２に示すように、本考案の隅瓦の乾燥用パレット１０は、角パイプを枠組みして設けられた台１２と、台１２上に対向して間隔を開けて設けられた一対の側壁１４、１４と、一対の側壁１４、１４のそれぞれの上部との間に水平に対向して設けられた回転自在の一対の軸１６、１６と、一対の軸１６、１６を介して一対の側壁１４、１４上に対向して設けられた一対の対称的な形状である支持板１８、１８とを有するものである。
なお、一対の軸１６、１６のそれぞれは、一対の側壁１４、１４に、両端を突き出した状態で軸受けされている。
【００１９】
一対の支持板１８、１８は、所定の屈曲角度に設けられた隅瓦Ｗを上から載せ、隅瓦Ｗの裏面２０を面接触で支えるためのものである。
図３に示すように、一対の支持板１８、１８は、平面視において、隅瓦Ｗの平面視の形状に沿った略菱形に設けられている。
【００２０】
なお、一対の支持板１８、１８における隅瓦Ｗの尻側２２の裏面２０に対応する一部分は、水平方向に少し欠けた凹部２４となっている。
凹部２４は、隅瓦Ｗを一対の支持板１８、１８に載せた際に、隅瓦Ｗの尻側２２の裏面２０に設けられた引っ掛け用の突起２６が、一対の支持板１８、１８に当たらないようにするために設けられたものである。
【００２１】
さらに、図４に示すように、一対の支持板１８、１８は、側面視において、隅瓦Ｗの裏面２０の折れ曲がった形状に沿ったハの字状に設けられている。
なお、一対の支持板１８、１８は、互いに接触しないように間隔を開けて設けられている。
【００２２】
また、一対の支持板１８、１８の平面視及び側面視における形状は、支持するための隅瓦Ｗの形状に沿ったものであれば、上記のものに限定されない。
【００２３】
なお、図５に示すように、一対の支持板１８、１８は、孔３０を設けたものとしても良い。
孔３０の形状や大きさはどのようなものでも良く、その数は限定されない。
【００２４】
さらに、図２、４、及び６に示すように、一対の支持板１８、１８のそれぞれには、一対の軸１６、１６を軸受けするための軸受片２８が軸１６方向に二つずつ設けられ、軸受片２８、２８、２８、２８を介して、一対の支持板１８、１８のそれぞれが、一対の軸１６、１６のそれぞれを支点として揺動自在となるように設けられている。
なお、別な言い方をすれば、一対の支持板１８、１８のそれぞれが、一対の軸１６、１６のそれぞれを支点としてシーソー状に設けられていることとなる。
【００２５】
このため、隅瓦Ｗを一対の支持板１８、１８の上に単に載せるだけで、一対の支持板１８、１８が、隅瓦Ｗの裏面２０に接触し、隅瓦Ｗ自体の重みによって自動的に隅瓦Ｗの屈曲角度に対応して動くことから、隅瓦Ｗの裏面２０を面接触で支えることができ、その結果、隅瓦Ｗをしっかりと支持することができる。
【符号の説明】
【００２６】
１０  パレット
１２  台
１４  側壁
１６  軸
１８  支持板
２０  隅瓦の裏面
２２  尻側
２４  凹部
２６  突起
２８  軸受片
３０  孔
Ｗ  隅瓦
【図１】
0003183012.tif 000003
【図２】
0003183012.tif 000004
【図３】
0003183012.tif 000005
【図４】
0003183012.tif 000006
【図５】
0003183012.tif 000007
【図６】
0003183012.tif 000008